(57)【要約】【課題】対応するＩＣカードを車載器に装着することを事前に乗員に促し、円滑かつ確実にＤＳＲＣサービスを受けることができるＤＳＲＣサービスシステムを提供する。【解決手段】路側機１とＤＳＲＣ車載器４との間でサービスの授受を行うＤＳＲＣサービスシステムであって、予告路側機２と、ＩＣカード１１と、このＩＣカード１１のサービスへの対応を判定するカード種類判定部９とを備え、車載器４は、ＩＣカード１１の有無を判定するカード装着判定部８と、各判定結果が入力されるデータ処理部７と、サービスに対応するＩＣカード１１の装着についての第１の報知を行う音声発生部１０とを有し、データ処理部７は、車載器４に対するＩＣカード１１の非装着状態が判定された場合、あるいは車載器４に装着されたＩＣカード１１がサービスに対応していないと判定された場合に、音声発生部１０に対して第１の報知の指令を出力するものである。【選択図】図２
2007058290.tif 000002
【特許請求の範囲】
【請求項１】
路側に設けられた路側機と車両に搭載された車載器との間でＤＳＲＣによりサービスの授受を行うＤＳＲＣサービスシステムであって、
前記路側機から所定の距離を置いて設置され、前記車載器との間で情報の授受を行う予告路側機と、
前記車載器に装着されるＩＣカードと、
前記車載器に装着されたＩＣカードが前記サービスに対応しているか否かを判定するカード種類判定手段と
を備え、
前記車載器は、
前記車載器に対するＩＣカードの有無を判定するカード装着判定手段と、
前記カード装着判定手段および前記カード種類判定手段からの判定結果が入力されるデータ処理手段と、
前記車両の乗員に対して前記サービスに対応するＩＣカードの装着についての第１の報知を行う報知手段と
を有し、
前記データ処理手段は、前記カード装着判定手段により前記車載器に対するＩＣカードの非装着状態が判定された場合、あるいは前記カード種類判定手段により前記車載器に装着されたＩＣカードが前記サービスに対応していないと判定された場合に、前記報知手段に対して前記第１の報知の指令を出力すること
を特徴とするＤＳＲＣサービスシステム。
【請求項２】
前記予告路側機は、前記サービスに対応するＩＣカードのカード種類情報を前記車載器に通知するカード種類情報通知手段を有し、
前記カード種類判定手段は、前記車載器に設けられて前記カード種類情報に応じたカード判定処理を実行して前記車載器に装着されたＩＣカードの種類を判定すること
を特徴とする請求項１に記載のＤＳＲＣサービスシステム。
【請求項３】
前記予告路側機は、前記サービスに対応する動作指令を前記車載器に通知する動作指令手段を有し、
前記車載器は、前記動作指令に応じた処理を行う処理実行手段を有し、
前記カード種類判定手段は、前記予告路側機に設けられて前記処理実行手段の処理結果に基づいて前記車載器に装着されたＩＣカードの種類を判定すること
を特徴とする請求項１に記載のＤＳＲＣサービスシステム。
【請求項４】
前記カード装着判定手段および前記カード種類判定手段は、前記データ処理手段が前記報知手段に対して前記第１の報知の指令を出力してから所定時間の後に、それぞれ前記車載器に対するＩＣカードの有無と前記車載器に装着されたＩＣカードが前記サービスに対応しているか否かとを再度判定し、
前記データ処理手段は、前記カード装着判定手段により前記車載器に対するＩＣカードの非装着状態が判定された場合、あるいは前記カード種類判定手段により前記車載器に装着されたＩＣカードが前記サービスに対応していないと判定された場合に、前記サービスに対応するＩＣカードの装着についての第２の報知の指令を前記報知手段に対して出力すること
を特徴とする請求項１から請求項３までの何れか１項に記載のＤＳＲＣサービスシステム。
【請求項５】
前記カード種類判定手段は、前記データ処理手段が前記報知手段に対して前記第１の報知の指令を出力した後、前記カード装着判定手段により前記車載器に対するＩＣカードの装着状態が判定された場合に、前記車載器に装着されたＩＣカードが前記サービスに対応しているか否かを再度判定し、
前記データ処理手段は、前記カード種類判定手段により前記車載器に装着されたＩＣカードが前記サービスに対応していないと判定された場合に、前記サービスに対応するＩＣカードの装着についての第３の報知の指令を前記報知手段に対して出力すること
を特徴とする請求項１から請求項４までの何れか１項に記載のＤＳＲＣサービスシステム。
【請求項６】
前記データ処理手段は、前記カード装着判定手段により前記車載器に対するＩＣカードの装着状態が判定された後、前記カード装着判定手段により前記車載器に対するＩＣカードの非装着状態が判定された場合に、前記第１の報知の指令を前記報知手段に対して出力することを特徴とする請求項１から請求項５までの何れか１項に記載のＤＳＲＣサービスシステム。
【請求項７】
前記データ処理手段は、前記カード装着判定手段および前記カード種類判定手段により前記車載器に対するＩＣカードの装着状態にあり、かつ前記車載器に装着されたＩＣカードが前記サービスに対応していると判定された後、前記カード装着判定手段により前記車載器に対するＩＣカードの非装着状態が判定された場合に、前記第１の報知の指令を前記報知手段に対して出力することを特徴とする請求項６に記載のＤＳＲＣサービスシステム。
【請求項８】
前記報知手段は、音声による前記報知を行う音声発生手段であることを特徴とする請求項１から請求項７までの何れか１項に記載のＤＳＲＣサービスシステム。
【請求項９】
前記報知手段は、表示による前記報知を行う表示手段であることを特徴とする請求項１から請求項８までの何れか１項に記載のＤＳＲＣサービスシステム。
【発明の詳細な説明】
【技術分野】
【０００１】
この発明は、路側機（路側に設置された無線装置）と車載器（車両に搭載された無線装置）との間で、ＤＳＲＣ（専用狭域通信：Ｄｅｄｉｃａｔｅｄ  Ｓｈｏｒｔ  Ｒａｎｇｅ  Ｃｏｍｍｕｎｉｃａｔｉｏｎ）により無線通信を行うことによってＤＳＲＣサービスを実現するＤＳＲＣサービスシステムに関する。
【背景技術】
【０００２】
近年、路側機と車載器との間でＤＳＲＣによる無線通信によって提供されるＤＳＲＣサービスの一つとして、有料道路の料金所において、自動車を止めることなく通行料金の支払いを処理するＥＴＣ（道路自動料金収受：Ｅｌｅｃｔｒｏｎｉｃ  Ｔｏｌｌ  Ｃｏｌｌｅｃｔｉｏｎ）が実用化されている。
ＥＴＣでは、ＤＳＲＣサービスのうち、有料道路の通行料金支払いに機能を限定したＥＴＣ車載器に、このサービスに対応した１種類のＩＣカードを装着することによって通行料金の支払い処理が行われるように構成されている。
【０００３】
また、その他に提供されるＤＳＲＣサービスとして、駐車場で駐車料金を収受する駐車場管理システム、ガソリンスタンドやドライブスルーでの民間課金システム、音声による情報提供サービス、インターネット接続サービス等の複数のサービスが挙げられる。
ＤＳＲＣサービスシステムでは、ＤＳＲＣ車載器に、提供されるそれぞれのＤＳＲＣサービスに対応するＩＣカードを装着することによって各ＤＳＲＣサービスが受けられるように構成されている。
しかしながら、ＤＳＲＣ車載器にＩＣカードが装着されていない場合には、サービスを受けることができない。
【０００４】
また、ＤＳＲＣサービスシステムにおいて、路側機の覆域は３〜３０ｍと非常に狭い。そのため、ＤＳＲＣ車載器が搭載された車両の乗員が路側機の覆域内に進入した後にＩＣカードの誤装着を発見し、提供されるＤＳＲＣサービスに対応するＩＣカードをＤＳＲＣ車載器に再装着した場合であっても、車両が既に覆域外に外れている可能性が高いという問題点もあった。
【０００５】
そこで、ＩＣカードの装着遅れを防止するために、従来の情報伝達装置用車載機は、情報を記憶したカードが装着されているか否かを所定状況で判定する判定手段と、車両が情報伝達地点を通過するか否かを推定する推定手段と、推定手段により車両が情報伝達地点を通過すると推定され、かつ判定手段によりカードが装着されていないと判断された場合に、乗員に対して報知する報知手段とを有している（例えば、特許文献１参照）。
【０００６】
【特許文献１】特開平８−２２５９４号公報
【発明の開示】
【発明が解決しようとする課題】
【０００７】
従来の情報伝達装置用車載機では、情報を記憶した正規のＩＣカードが装着されているか否かのみが判定されるので、複数のＤＳＲＣサービスが存在する場合に、車載器に装着されたＩＣカードが、提供されるＤＳＲＣサービスに対応していないＩＣカードであることは判定されるものの、提供されるＤＳＲＣサービスに対応する正規のＩＣカードを通知することはできない。
そのため、提供されるＤＳＲＣサービスに対応していないＩＣカードが車載器に装着されている場合、提供されるＤＳＲＣサービスに対応するＩＣカードを乗員が選択して車載器に装着する必要があり、円滑なＤＳＲＣサービスを受けることができないという問題点があった。
【０００８】
この発明は、上記のような問題点を解決することを課題とするものであって、その目的は、路側機からＤＳＲＣサービスの提供を受ける前に、ＤＳＲＣサービスに対応するＩＣカードを車載器に装着することを乗員に促し、円滑かつ確実にＤＳＲＣサービスを受けることができるＤＳＲＣサービスシステムを提供することである。
【課題を解決するための手段】
【０００９】
この発明に係るＤＳＲＣサービスシステムは、路側に設けられた路側機と車両に搭載された車載器との間でＤＳＲＣによりサービスの授受を行うＤＳＲＣサービスシステムであって、路側機から所定の距離を置いて設置され、車載器との間で情報の授受を行う予告路側機と、車載器に装着されるＩＣカードと、車載器に装着されたＩＣカードがサービスに対応しているか否かを判定するカード種類判定手段とを備え、車載器は、車載器に対するＩＣカードの有無を判定するカード装着判定手段と、カード装着判定手段およびカード種類判定手段からの判定結果が入力されるデータ処理手段と、車両の乗員に対してサービスに対応するＩＣカードの装着についての第１の報知を行う報知手段とを有し、データ処理手段は、カード装着判定手段により車載器に対するＩＣカードの非装着状態が判定された場合、あるいはカード種類判定手段により車載器に装着されたＩＣカードがサービスに対応していないと判定された場合に、報知手段に対して第１の報知の指令を出力するものである。
【発明の効果】
【００１０】
この発明のＤＳＲＣサービスシステムによれば、路側機から所定の距離をおいて設置された予告路側機の覆域に車両が進入した際に、カード装着判定手段により車載器にＩＣカードが装着されているか否か、およびカード種類判定手段により車載器に装着されたＩＣカードが提供されるＤＳＲＣサービスに対応しているか否かが判定され、車載器に対するＩＣカードの非装着状態が判定された場合、あるいは車載器に装着されたＩＣカードがサービスに対応していないと判定された場合に、乗員に対してＤＳＲＣサービスに対応するＩＣカードを車載器に装着することを促す第１の報知が行われるので、ＩＣカードの装着遅れを防止でき、円滑かつ確実にＤＳＲＣサービスを受けることができる。
【発明を実施するための最良の形態】
【００１１】
以下、この発明の各実施の形態について図に基づいて説明するが、各図において同一、または相当する部材、部位については、同一符号を付して説明する。なお、以下の実施の形態においては、ＤＳＲＣサービスの一つとして、駐車場での駐車料金の課金処理が提供される場合について説明する。
【００１２】
実施の形態１．
図１は、この発明の実施の形態１に係るＤＳＲＣサービスシステムを示す構成図、図２は、図１の予告路側機２およびＤＳＲＣ車載器４を示すブロック図である。
図１および図２において、このＤＳＲＣサービスシステムは、路側に設置された無線装置である路側機１と、路側機１から任意に設定される所定の距離をおいて設置された無線装置である予告路側機２と、車両３に設けられて路側機１および予告路側機２と通信を行う無線装置であるＤＳＲＣ車載器４とを有している。
ここで、路側機１の覆域を覆域Ａ、予告路側機２の覆域を覆域Ｂとする。また、車両３は矢印Ｃの方向に進行するものとする。
【００１３】
予告路側機２は、ここでは課金処理であるＤＳＲＣサービスに対応するＩＣカード１１のカード種類情報をＤＳＲＣ車載器４に通知するカード種類情報通知部（カード種類情報通知手段）５を有している。
また、ＤＳＲＣ車載器４は、無線部６と、データ処理部（データ処理手段）７、カード装着判定部（カード装着判定手段）８と、カード種類判定部（カード種類判定手段）９と、音声発生部（報知手段）１０とを有している。
また、ＤＳＲＣ車載器４には、提供されるＤＳＲＣサービスに対応する情報を記憶したＩＣカード１１が装着される。
【００１４】
無線部６は、路側機１および予告路側機２とＤＳＲＣ車載器４との間の無線電波の送受信を行う。データ処理部７は、カード装着判定部８およびカード種類判定部９の出力に基づいて、提供されるＤＳＲＣサービスに対応するＩＣカード１１の装着についての乗員に対する報知の指令を音声発生部１０に出力する。
カード装着判定部８は、ＤＳＲＣ車載器４に対してＩＣカード１１が装着されているか否かを判定する。カード種類判定部９は、カード装着判定部８がＤＳＲＣ車載器４に対するＩＣカード１１の装着状態を判定した場合に、ＩＣカード１１のカード種類情報に対応した判定処理を実行して、そのＩＣカード１１が、提供されるＤＳＲＣサービスに対応したものか否かを判定する。この実施の形態において、ＩＣカード１１のカード種類情報に対応した判定処理は、例えば０円の課金処理であるものとする。
【００１５】
また、データ処理部７は、音声データベース（図示せず）を有している。音声データベースは、提供される複数のＤＳＲＣサービスの各々に対応するＩＣカード１１の装着についての報知に関する音声データを記憶している。
データ処理部７は、カード装着判定部８によりＤＳＲＣ車載器４に対するＩＣカード１１の非装着状態が判定された場合、あるいはカード種類判定部９によりＤＳＲＣ車載器４に装着されたＩＣカード１１がＤＳＲＣサービスに対応していないと判定された場合に、予告路側機２からのカード種類情報に基づいて音声データベースから乗員に報知する音声データを選択し、音声発生部１０に出力する。
【００１６】
ここで、カード種類情報通知部５、無線部６、データ処理部７、カード種類判定部９、および音声発生部１０は、それぞれプログラムを格納した記憶部とＣＰＵとを有するマイクロプロセッサ（図示せず）で構成されている。
また、カード装着判定部８は、スイッチ等のセンサからなるハードウェアで構成されている。
【００１７】
以下に、図３のフローチャートを参照しながら、図１および図２に示したこの発明の実施の形態１に係るＤＳＲＣサービスシステムの動作について説明する。
【００１８】
まず、車両３が予告路側機２の覆域Ｂに進入すると、予告路側機２とＤＳＲＣ車載器４との間で無線通信が開始される（ステップＳ３１）。
次に、カード種類情報通知部５からは、サービスに対応するＩＣカード１１に関するカード種類情報がＤＳＲＣ車載器４に向けて出力される（ステップＳ３２）。
【００１９】
続いて、カード装着判定部８では、ＤＳＲＣ車載器４にＩＣカード１１が装着されているか否かが判定される（ステップＳ３３）。
ステップＳ３３において、ＩＣカード１１が装着されている（すなわち、Ｙｅｓ）と判定された場合には、カード種類判定部９において、ＩＣカード１１のカード種類情報に対応した判定処理である０円の課金処理が行われ、その処理の成否によってサービスに対応したＩＣカード１１が装着されているか否かが判定される（ステップＳ３４）。
ステップＳ３４において、ＤＳＲＣ車載器４に装着されたＩＣカード１１がサービスに対応している（すなわち、Ｙｅｓ）と判定された場合には、図３の処理を終了する。
【００２０】
一方、ステップＳ３３において、ＤＳＲＣ車載器４にＩＣカード１１が装着されていない（すなわち、Ｎｏ）と判定された場合、およびステップＳ３４において、ＤＳＲＣ車載器４に装着されたＩＣカード１１がサービスに対応していない（すなわち、Ｎｏ）と判定された場合には、データ処理部７は、予告路側機２からのカード種類情報に基づいて音声データベースから乗員に報知する音声データを選択し、第１の報知の指令として音声発生部１０に出力する。
音声発生部１０では、第１の報知の指令に基づいて、乗員にサービスに対応するＩＣカード１１の装着についての報知が行われ（ステップＳ３５）、図３の処理を終了する。
ここで、第１の報知は、例えば「駐車場での課金処理に対応したＩＣカードを装着してください」という、乗員に適切なＩＣカード１１の情報を与える音声とする。
【００２１】
この発明の実施の形態１に係るＤＳＲＣサービスシステムによれば、予告路側機２の覆域Ｂに車両３が進入した際に、カード装着判定部８によりＤＳＲＣ車載器４にＩＣカード１１が装着されているか否か、およびカード種類判定部９によりＤＳＲＣ車載器４に装着されたＩＣカード１１が提供されるＤＳＲＣサービスに対応しているか否かが判定される。
このとき、ＤＳＲＣ車載器４に対するＩＣカード１１の非装着状態が判定された場合、あるいはＤＳＲＣ車載器４に装着されたＩＣカード１１がＤＳＲＣサービスに対応していないと判定された場合に、データ処理部７がカード種類情報に基づいて第１の報知の指令を音声発生部１０に出力し、音声発生部１０から乗員に対してＤＳＲＣサービスに対応するＩＣカード１１をＤＳＲＣ車載器４に装着することを促す第１の報知が行われる。
したがって、ＩＣカード１１の装着遅れを防止でき、円滑かつ確実にＤＳＲＣサービスを受けることができる。
【００２２】
実施の形態２．
上記実施の形態１では、ＤＳＲＣ車載器４に装着されたＩＣカード１１がサービスに対応していると判定された場合、および乗員にサービスに対応するＩＣカード１１の装着についての報知が行われた場合に処理を終了したが、これに限られるものではない。
データ処理部７は、上記の乗員に対する第１の報知についての指令を音声発生部１０に出力し、その後所定時間が経過してから、再度カード装着判定部８およびカード種類判定部９に上記と同様の判定をさせてもよい。このとき、ＤＳＲＣ車載器４にＩＣカード１１が装着されていない場合、あるいはＤＳＲＣ車載器４に装着されたＩＣカード１１がサービスに対応していない場合に、データ処理部７は、サービスに対応するＩＣカード１１の装着についての第２の報知の指令を音声発生部１０に対して出力する。
【００２３】
以下に、第１の報知から所定時間経過後に再度カード装着判定部８およびカード種類判定部９に上記と同様の判定をさせる処理について説明する。
この発明の実施の形態２に係るＤＳＲＣサービスシステムの構成は、前述の実施の形態１で示したものと同様であるので、説明を省略する。
【００２４】
以下、図４のフローチャートを参照しながら、この発明の実施の形態２に係るＤＳＲＣサービスシステムの動作について説明する。なお、実施の形態１と同様の動作については、説明を省略する。
【００２５】
まず、第１の報知の後、所定時間が経過したか否かが判定され（ステップＳ４１）、所定時間が経過していない（すなわち、Ｎｏ）と判定された場合には、再びステップＳ４１に戻る。
ステップＳ４１で、所定時間が経過した（すなわち、Ｙｅｓ）と判定された場合に、カード装着判定部８では、ＤＳＲＣ車載器４にＩＣカード１１が装着されているか否かが判定される（ステップＳ４２）。
ステップＳ４２において、ＩＣカード１１が装着されている（すなわち、Ｙｅｓ）と判定された場合には、カード種類判定部９において、ＩＣカード１１のカード種類情報に対応した判定処理である０円の課金処理が行われ、その処理の成否によってサービスに対応したＩＣカード１１が装着されているか否かが判定される（ステップＳ４３）。
ステップＳ４３において、ＤＳＲＣ車載器４に装着されたＩＣカード１１がサービスに対応している（すなわち、Ｙｅｓ）と判定された場合には、図４の処理を終了する。
【００２６】
一方、ステップＳ４２において、ＤＳＲＣ車載器４にＩＣカード１１が装着されていない（すなわち、Ｎｏ）と判定された場合、およびステップＳ４３において、ＤＳＲＣ車載器４に装着されたＩＣカード１１がサービスに対応していない（すなわち、Ｎｏ）と判定された場合には、データ処理部７は、予告路側機２からのカード種類情報に基づいて音声データベースから乗員に報知する音声データを選択し、第２の報知の指令として音声発生部１０に出力する。
音声発生部１０では、第２の報知の指令に基づいて、乗員にサービスに対応するＩＣカード１１の装着についての報知が行われ（ステップＳ４４）、図４の処理を終了する。
ここで、第２の報知は、乗員に適切なＩＣカード１１の情報を与える音声であれば、上記第１の報知と同じものでもよいし、異なるものであってもよい。
【００２７】
この発明の実施の形態２に係るＤＳＲＣサービスシステムによれば、乗員に対する第１の報知の後、所定時間が経過してから、再度カード装着判定部８およびカード種類判定部９に上記と同様の判定をさせる。このとき、ＤＳＲＣ車載器４にサービスに対応したＩＣカード１１が装着されていない場合、あるいはＤＳＲＣ車載器４に装着されたＩＣカード１１がサービスに対応していない場合に、データ処理部７がサービスに対応するＩＣカード１１の装着についての第２の報知の指令を音声発生部１０に対して出力し、音声発生部１０から乗員に対してＤＳＲＣサービスに対応するＩＣカード１１をＤＳＲＣ車載器４に装着することを促す第２の報知が行われる。
したがって、さらにＩＣカード１１の装着遅れを防止でき、円滑かつ確実にＤＳＲＣサービスを受けることができる。
【００２８】
実施の形態３．
上記実施の形態１では、ＤＳＲＣ車載器４に装着されたＩＣカード１１がサービスに対応していると判定された場合、および乗員にサービスに対応するＩＣカード１１の装着についての報知が行われた場合に処理を終了したが、これに限られるものではない。
データ処理部７は、上記の乗員に対する第１の報知についての指令を音声発生部１０に出力し、その後ＤＳＲＣ車載器４に対するＩＣカード１１の装着状態が判定された場合に、再度カード種類判定部９に上記の判定をさせる。このとき、ＤＳＲＣ車載器４に装着されたＩＣカード１１がサービスに対応していない場合に、データ処理部７は、サービスに対応するＩＣカード１１の装着についての第３の報知の指令を音声発生部１０に対して出力してもよい。
【００２９】
以下に、第１の報知後、ＤＳＲＣ車載器４に対するＩＣカード１１の装着状態が判定された場合に、再度カード種類判定部９に上記と同様の判定をさせる処理について説明する。
この発明の実施の形態２に係るＤＳＲＣサービスシステムの構成は、前述の実施の形態１で示したものと同様であるので、説明を省略する。
【００３０】
以下、図５のフローチャートを参照しながら、この発明の実施の形態３に係るＤＳＲＣサービスシステムの動作について説明する。なお、実施の形態１と同様の動作については、説明を省略する。
【００３１】
まず、第１の報知の後、任意の時間待機する（ステップＳ５１）。
次に、カード装着判定部８では、ＤＳＲＣ車載器４にＩＣカード１１が装着されているか否かが判定され（ステップＳ５２）、ＩＣカード１１が装着されていない（すなわち、Ｎｏ）と判定された場合には、再びステップＳ５１に戻る。
一方、ステップＳ５２において、ＩＣカード１１が装着されている（すなわち、Ｙｅｓ）と判定された場合には、カード種類判定部９において、ＩＣカード１１のカード種類情報に対応した判定処理である０円の課金処理が行われ、その処理の成否によってサービスに対応したＩＣカード１１が装着されているか否かが判定される（ステップＳ５３）。
ステップＳ５３において、ＤＳＲＣ車載器４に装着されたＩＣカード１１がサービスに対応している（すなわち、Ｙｅｓ）と判定された場合には、図５の処理を終了する。
【００３２】
一方、ステップＳ５３において、ＤＳＲＣ車載器４に装着されたＩＣカード１１がサービスに対応していない（すなわち、Ｎｏ）と判定された場合には、データ処理部７は、予告路側機２からのカード種類情報に基づいて音声データベースから乗員に報知する音声データを選択し、第３の報知の指令として音声発生部１０に出力する。
音声発生部１０では、第３の報知の指令に基づいて、乗員にサービスに対応するＩＣカード１１の装着についての報知が行われ（ステップＳ５４）、図５の処理を終了する。
ここで、第３の報知は、乗員に適切なＩＣカード１１の情報を与える音声であれば、上記第１の報知と同じものでもよいし、異なるものであってもよい。
【００３３】
この発明の実施の形態３に係るＤＳＲＣサービスシステムによれば、乗員に対する第１の報知の後、ＤＳＲＣ車載器４に対するＩＣカード１１の装着状態が判定された場合に、再度カード種類判定部９に上記の判定をさせる。このとき、ＤＳＲＣ車載器４に装着されたＩＣカード１１がサービスに対応していない場合に、データ処理部７がサービスに対応するＩＣカード１１の装着についての第３の報知の指令を音声発生部１０に対して出力し、音声発生部１０から乗員に対してＤＳＲＣサービスに対応するＩＣカード１１をＤＳＲＣ車載器４に装着することを促す第３の報知が行われる。
したがって、さらにＩＣカード１１の装着遅れを防止でき、円滑かつ確実にＤＳＲＣサービスを受けることができる。
【００３４】
実施の形態４．
上記実施の形態１では、ＤＳＲＣ車載器４に装着されたＩＣカード１１がサービスに対応していると判定された場合、および乗員にサービスに対応するＩＣカード１１の装着についての報知が行われた場合に処理を終了したが、これに限られるものではない。
データ処理部７は、カード装着判定部８によりＤＳＲＣ車載器４に対するＩＣカード１１の装着状態が判定された後、カード装着判定部８によりＤＳＲＣ車載器４に対するＩＣカード１１の非装着状態が判定された場合に、サービスに対応するＩＣカード１１の装着についての第１の報知の指令を再度音声発生部１０に対して出力してもよい。
【００３５】
以下に、ＤＳＲＣ車載器４に対するＩＣカード１１の装着状態が判定された後、カード装着判定部８によりＤＳＲＣ車載器４に対するＩＣカード１１の非装着状態が判定された場合に、再度音声発生部１０に対して第１の報知の指令を出力する処理について説明する。
この発明の実施の形態２に係るＤＳＲＣサービスシステムの構成は、前述の実施の形態１で示したものと同様であるので、説明を省略する。
【００３６】
以下、図６のフローチャートを参照しながら、この発明の実施の形態４に係るＤＳＲＣサービスシステムの動作について説明する。なお、実施の形態１と同様の動作については、説明を省略する。
【００３７】
まず、カード種類判定部９によりＩＣカード１１がサービスに対応したものであると判断された後、あるいは上記の第１の報知の後、任意の時間待機する（ステップＳ６１）。
次に、カード装着判定部８では、ＤＳＲＣ車載器４にＩＣカード１１が装着されているか否かが判定される（ステップＳ６２）。
【００３８】
ステップＳ６２において、ＩＣカード１１が装着されている（すなわち、Ｙｅｓ）と判定された場合には、図６の処理を終了する。
一方、ステップＳ６２において、ＩＣカード１１が装着されていない（すなわち、Ｎｏ）と判定された場合には、データ処理部７は、上記ステップＳ３５と同様の第１の報知の指令を音声発生部１０に出力する。
音声発生部１０では、第１の報知の指令に基づいて、乗員にサービスに対応するＩＣカード１１の装着についての報知が行われ（ステップＳ６３）、図６の処理を終了する。
【００３９】
この発明の実施の形態４に係るＤＳＲＣサービスシステムによれば、カード装着判定部８によりＤＳＲＣ車載器４に対するＩＣカード１１の装着状態が判定された後、カード装着判定部８によりＩＣカード１１が装着されているか否かが再度判定される。このとき、カード装着判定部８によりＤＳＲＣ車載器４に対するＩＣカード１１の非装着状態が判定された場合に、データ処理部７がサービスに対応するＩＣカード１１の装着についての第１の報知の指令を再度音声発生部１０に対して出力し、音声発生部１０から乗員に対してＤＳＲＣサービスに対応するＩＣカード１１をＤＳＲＣ車載器４に装着することを促す第１の報知が行われる。
したがって、ＩＣカード１１を差し替える場合や、車両３の乗員がサービスに対応するＩＣカード１１を聞き取れなかった場合であっても、確実にＩＣカード１１を乗員に通知することができる。
【００４０】
なお、上記図６において、ステップＳ３４およびステップＳ３５の後に任意の時間待機してＩＣカード１１の装着状態を判定したが、勿論これに限定されるものではない。すなわち、図７に示すように、ステップＳ３４の直後であるカード装着判定部８およびカード種類判定部９により、ＤＳＲＣ車載器４に対するＩＣカード１１の装着状態にあり、かつＤＳＲＣ車載器４に装着されたＩＣカード１１がサービスに対応していると判定された後に任意の時間待機し、ＩＣカード１１の装着状態を判定してもよい。
この場合も、上記と同様の効果を奏することができる。
【００４１】
実施の形態５．
図８は、この発明の実施の形態５に係るＤＳＲＣサービスシステムの予告路側機２ＡおよびＤＳＲＣ車載器４Ａを示すブロック図である。
図１および図８において、予告路側機２Ａは、ここでは課金処理であるＤＳＲＣサービスに対応する動作指令を出力する動作指令部１２と、ＩＣカード１１が、提供されるＤＳＲＣサービスに対応したものか否かを判定するカード種類判定部（カード種類判定手段）１３とを有している。
また、ＤＳＲＣ車載器４は、図２に示したカード種類判定部９の代わりに、予告路側機２Ａからの動作指令に基づいた判定処理を行う動作指令処理実行部１４を有している。
【００４２】
カード種類判定部１３は、カード装着判定部８がＤＳＲＣ車載器４に対するＩＣカード１１の装着状態を判定した場合に、動作指令部１２からの動作指令に応じた動作指令処理実行部１４での処理結果に基づいて、ＤＳＲＣ車載器４に装着されたＩＣカード１１がサービスに対応したものか否かを判定する。この実施の形態において、動作指令部１２が出力する動作指令は、例えば０円の課金処理であるものとする。
【００４３】
動作指令部１２は、カード装着判定部８によりＤＳＲＣ車載器４に対するＩＣカード１１の非装着状態が判定された場合、あるいはカード種類判定部１３によりＤＳＲＣ車載器４に装着されたＩＣカード１１がＤＳＲＣサービスに対応していないと判定された場合に、提供されるＤＳＲＣサービスに対応したＩＣカード１１のカード種類情報をデータ処理部７に対して出力し、データ処理部７は、カード種類情報に基づいて音声データベースから乗員に報知する音声データを選択し、音声発生部１０に出力する。
その他の構成については、実施の形態１と同様であり、その説明は省略する。
【００４４】
以下、図９のフローチャートを参照しながら、図８に示したこの発明の実施の形態５に係るＤＳＲＣサービスシステムの動作について説明する。なお、実施の形態１と同様の動作については、説明を省略する。
【００４５】
まず、車両３が予告路側機２Ａの覆域Ｂに進入すると、予告路側機２ＡとＤＳＲＣ車載器４との間で無線通信が開始される（ステップＳ３１）。
次に、動作指令部１２からは、サービスに対応する動作指令がＤＳＲＣ車載器４に向けて出力される（ステップＳ９１）。
【００４６】
続いて、カード装着判定部８では、ＤＳＲＣ車載器４にＩＣカード１１が装着されているか否かが判定される（ステップＳ３３）。
ステップＳ３３において、ＩＣカード１１が装着されている（すなわち、Ｙｅｓ）と判定された場合には、動作指令処理実行部１４において、動作指令に対応した判定処理である０円の課金処理が実行され（ステップＳ９２）、その処理の成否によってサービスに対応したＩＣカード１１が装着されているか否かが判定される（ステップＳ３４）。
ステップＳ３４において、ＤＳＲＣ車載器４に装着されたＩＣカード１１がサービスに対応している（すなわち、Ｙｅｓ）と判定された場合には、図９の処理を終了する。
【００４７】
一方、ステップＳ３３において、ＤＳＲＣ車載器４にＩＣカード１１が装着されていない（すなわち、Ｎｏ）と判定された場合、およびステップＳ３４において、ＤＳＲＣ車載器４に装着されたＩＣカード１１がサービスに対応していない（すなわち、Ｎｏ）と判定された場合には、動作指令部１２は、提供されるＤＳＲＣサービスに対応したＩＣカード１１のカード種類情報をデータ処理部７に対して出力する。
データ処理部７は、カード種類情報に基づいて音声データベースから乗員に報知する音声データを選択し、第１の報知の指令として音声発生部１０に出力する。
音声発生部１０では、第１の報知の指令に基づいて、乗員にサービスに対応するＩＣカード１１の装着についての報知が行われ（ステップＳ３５）、図９の処理を終了する。
ここで、第１の報知は、例えば「駐車場での課金処理に対応したＩＣカード１１を装着してください」という、乗員に適切なＩＣカード１１の情報を与える音声とする。
【００４８】
この発明の実施の形態５に係るＤＳＲＣサービスシステムによれば、カード種類判定部１３を予告路側機２Ａ側に搭載したことにより、ＤＳＲＣ車載器４での処理を減らすことができるので、ＤＳＲＣ車載器４を構成する各部に大容量の記憶部および高性能のＣＰＵを用いる必要がなく、コストダウンを図ることができる。
【００４９】
なお、上記実施の形態５では、データ処理部７が音声発生部１０に出力する音声データを記憶した音声データベースを有しているとして説明したが、勿論これに限定されるものではなく、予告路側機２Ａが音声データベースを有しており、動作指令部１２がカード種類判定部１３での判定結果に応じて音声データベースから乗員に報知する音声データを選択し、第１の報知の指令としてデータ処理部７に出力してもよい。
この場合、ＤＳＲＣ車載器４の記憶部をさらに小さくすることができるので、さらにコストダウンを図ることができる。
また、この実施の形態５の構成を用いて、上記実施の形態２〜４に示した動作を実現してもよい。
【００５０】
また、上記実施の形態１〜５では、ＤＳＲＣサービスのうち、駐車場での駐車料金の課金処理についての例を用いて説明したが、勿論これに限定されるものではなく、ＥＴＣ、ガソリンスタンドやドライブスルー等の民間課金システムサービス、音声による情報提供サービス、インターネット接続サービス等に適用されてもよい。
この場合も、上記実施の形態１〜５と同様の効果を奏する。
【００５１】
また、上記実施の形態１〜５において、カード装着判定部８は、スイッチ等のセンサからなるハードウェアで構成されるとしたが、勿論これに限定されるものではなく、ソフトウェアで構成されてもよい。このとき、ソフトウェアで構成されたカード装着判定部は、ＩＣカード１１がＤＳＲＣ車載器４に装着された際に、ＩＣカード１１がデータ処理部７に自発的に書き込むＩＣカード情報を読み取り、ＩＣカード情報の有無に基づいてＩＣカード１１の装着状態を判定する。
この場合も、上記実施の形態１〜５のものと同様の効果を奏することができる。
【００５２】
また、上記実施の形態１〜５では、音声発生部１０から発生される音声によって車両３の乗員にＩＣカード１１の装着を報知していたが、カーナビゲーションシステム等のディスプレイ（表示手段）（図示せず）に上記の報知を表示してもよい。
この場合も、上記実施の形態１〜５と同様の効果を奏することができる。
【図面の簡単な説明】
【００５３】
【図１】この発明の実施の形態１に係るＤＳＲＣサービスシステムを示す構成図である。
【図２】図１の予告路側機およびＤＳＲＣ車載器を示すブロック図である。
【図３】図２に示したＤＳＲＣサービスシステムの動作を示すフローチャートである。
【図４】この発明の実施の形態２に係るＤＳＲＣサービスシステムの動作を示すフローチャートである。
【図５】この発明の実施の形態３に係るＤＳＲＣサービスシステムの動作を示すフローチャートである。
【図６】この発明の実施の形態４に係るＤＳＲＣサービスシステムの動作を示すフローチャートである。
【図７】この発明の実施の形態４に係るＤＳＲＣサービスシステムの別の動作を示すフローチャートである。
【図８】この発明の実施の形態５に係るＤＳＲＣサービスシステムの予告路側機およびＤＳＲＣ車載器を示すブロック図である。
【図９】図８に示したＤＳＲＣサービスシステムの動作を示すフローチャートである。
【符号の説明】
【００５４】
１  路側機、２、２Ａ  予告路側機、３  車両、４、４Ａ  ＤＳＲＣ車載器、５  カード種類情報通知部（カード種類情報通知手段）、７  データ処理部（データ処理手段）、８  カード装着判定部（カード装着判定手段）、９、１３  カード種類判定部（カード種類判定手段）、１０  音声発生部（音声発生手段）、１１  ＩＣカード、１２  動作指令部（動作指令手段）、１４  動作指令処理実行部（処理実行手段）。
【図１】
2007058290.tif 000003
【図２】
2007058290.tif 000004
【図３】
2007058290.tif 000005
【図４】
2007058290.tif 000006
【図５】
2007058290.tif 000007
【図６】
2007058290.tif 000008
【図７】
2007058290.tif 000009
【図８】
2007058290.tif 000010
【図９】
2007058290.tif 000011